(57)【要約】【課題】  電力線通信用コネクタ装置及びこれを用いたクレードル装置並びに電力線通信再生システムにおいて、携帯型再生装置のコスト増大を招かず、室内等においても携帯型再生装置の連続再生が可能であると共に、任意な位置に設置された外部スピーカ等の出力装置から再生すること。【解決手段】  クレードル装置３が、携帯型音楽再生装置１を載置可能なクレードル本体１０と、携帯型音楽再生装置１におけるオーディオ信号のヘッドフォンジャックに接続可能なヘッドフォンプラグと、電力線Ｌに接続されるコンセントプラグ１４と、ヘッドフォンプラグから入力されたオーディオ信号を、コンセントプラグ１４に接続された電力線Ｌを介して送信する電力線送信部と、を備えている。【選択図】      図１
2007243910.tif 000002
【特許請求の範囲】
【請求項１】
再生装置におけるオーディオ信号又は画像信号の信号出力端子に接続可能な信号入力端子と、
電力線に接続されるプラグ部と、
前記信号入力端子から入力された前記オーディオ信号又は前記画像信号を、前記プラグ部に接続された電力線を介して送信する電力線送信手段と、を備えていることを特徴とする電力線通信用コネクタ装置。
【請求項２】
携帯型再生装置を載置可能なクレードル本体と、
前記クレードル本体に設けられた請求項１に記載の電力線通信用コネクタ装置と、を備えていることを特徴とするクレードル装置。
【請求項３】
請求項２に記載のクレードル装置において、
前記信号出力端子が、アナログ信号である前記オーディオ信号を出力するヘッドフォンジャックであり、
前記信号入力端子が、アナログ信号である前記オーディオ信号を入力するヘッドフォンプラグであることを特徴とするクレードル装置。
【請求項４】
請求項２又は３に記載のクレードル装置において、
前記携帯型再生装置が充電池を内蔵しており、
前記クレードル本体内に、前記プラグ部に接続された電力線からの電力により前記充電池を充電可能な充電機構を備えていることを特徴とするクレードル装置。
【請求項５】
請求項２から４のいずれか一項に記載のクレードル装置において、
前記プラグ部が、車両の電力線に接続可能であることを特徴とするクレードル装置。
【請求項６】
請求項５に記載のクレードル装置において、
前記プラグ部が、車両の電力線に接続されたシガーソケットに着脱可能なシガーソケットプラグであることを特徴とするクレードル装置。
【請求項７】
請求項１に記載の電力線通信用コネクタ装置と、
電力線に接続された出力装置と、を備え、
前記出力装置が、電力線に接続され電力線を介して前記オーディオ信号又は前記画像信号を受信する電力線受信手段と、
受信した前記オーディオ信号又は前記画像信号を再生する出力手段と、を備えていることを特徴とする電力線通信再生システム。
【請求項８】
請求項７に記載の電力線通信再生システムにおいて、
前記出力装置が、電力線を介して前記電力線通信用コネクタ装置に前記再生装置の制御信号を送信する制御信号送信手段と、
前記制御信号の入力を行う操作部と、を備え、
前記電力線通信用コネクタ装置が、前記再生装置の制御入力端子に接続可能な制御出力端子と、
前記制御信号を電力線を介して受信するコネクタ側電力線受信手段と、
受信した前記制御信号を前記制御出力端子に接続された前記制御入力端子から前記再生装置に送る制御信号出力部と、を備えていることを特徴とする電力線通信再生システム。
【請求項９】
請求項７又は８に記載の電力線通信再生システムにおいて、
前記オーディオ信号又は前記画像信号に、再生内容に関する情報が含まれ、
前記出力手段が、受信した前記オーディオ信号又は前記画像信号の前記再生内容に関する情報を表示する表示部を備えていることを特徴とする電力線通信再生システム。
【発明の詳細な説明】
【技術分野】
【０００１】
本発明は、電力線を介してオーディオ信号や画像信号の再生を行うための電力線通信用コネクタ装置及びこれを用いたクレードル装置並びに電力線通信再生システムに関する。
【背景技術】
【０００２】
近年、ＨＤＤや不揮発性メモリに楽曲等の音声データを記憶させ再生可能な携帯型の音楽再生装置が普及してきている。この携帯型の音楽再生装置は、ポケット等に収容可能かつ持ち運び可能で小型軽量に作製されており、数百曲から数千曲の多くの楽曲を記憶可能なものが市販されている。このような携帯型の音楽再生装置は、通常、スピーカを内蔵しておらず、記憶されている音声データをヘッドフォンやイヤーフォンで聞く使用形態が主であるが、外部スピーカによって再生可能な機能を有するものも提案されている。
例えば、特許文献１には、コンパクトディスクプレーヤーやデジタルスチルカメラ等のポータブル電子機器において、記憶した音声データをＵＳＢインターフェースを介してクレードルに備えられたスピーカに転送し、拡声放音させる技術が提案されている。
【０００３】
【特許文献１】特開２００５−６４６９４号公報（特許請求の範囲、図１）
【発明の開示】
【発明が解決しようとする課題】
【０００４】
上記従来の技術には、以下の課題が残されている。
すなわち、スピーカを内蔵していない従来の携帯型音楽再生装置では、イヤーフォンやヘッドフォンで聞いていた楽曲を室内などで単独で連続して再生することができない。このため、同一の楽曲データをＣＤ−Ｒ等の別の記憶媒体に保存しておいたり、音声再生可能なパーソナルコンピュータのＨＤＤにコピーを保存しておき、室内に備え付けられたこれらの他のプレーヤーで再生することなどが行われているが、この場合、楽曲データのコピーが必要になり、著作権の面から不都合があることが多い。また、室内に別個のプレーヤーを設置しておく必要があると共に、該プレーヤーの起動を行う必要もある。さらに、上記特許文献１に記載の技術では、ポータブル電子機器をスピーカ内蔵のクレードルに接続することで、室内再生を行うことができるが、クレードルに内蔵するスピーカには出力等の限界があり、高出力かつ高品質な再生が困難であると共に、その設置位置も限定されてしまう。また、ＵＳＢインターフェースが必要であり、携帯型音楽再生装置の部材コストが増大してしまう。
【０００５】
本発明は、前述の課題に鑑みてなされたもので、携帯型再生装置のコスト増大を招かず、室内等においても携帯型再生装置の連続再生が可能であると共に、任意な位置に設置された外部スピーカ等の出力装置から再生することができる電力線通信用コネクタ装置及びこれを用いたクレードル装置並びに電力線通信再生システムを提供することを目的とする。
【課題を解決するための手段】
【０００６】
本発明は、前記課題を解決するために以下の構成を採用した。すなわち、本発明の電力線通信用コネクタ装置は、再生装置におけるオーディオ信号又は画像信号の信号出力端子に接続可能な信号入力端子と、電力線に接続されるプラグ部と、前記信号入力端子から入力された前記オーディオ信号又は前記画像信号を、前記プラグ部に接続された電力線を介して送信する電力線送信手段と、を備えていることを特徴とする。
【０００７】
この電力線通信用コネクタ装置では、信号入力端子から入力されたオーディオ信号又は画像信号を、電力線送信手段がプラグ部に接続された電力線を介して送信することにより、電力線に接続され電力線通信に対応した他の再生装置（外部スピーカ等）で受信してオーディオ信号又は画像信号を再生することが可能になる。したがって、再生装置に通常備えられている信号出力端子を用いて信号入力を行うと共に、再生装置に電力線通信の送信機能を付加する必要がないため、再生装置が高コストになることがなく、通常の再生装置でも外部再生を容易に行うことができる。また、電力線を介してオーディオ信号等を送信するので、任意の位置で電力線に接続された外部スピーカ等の出力装置から連続再生を行うことができる。
【０００８】
本発明の電力線通信再生システムは、上記本発明の電力線通信用コネクタ装置と、電力線に接続された出力装置と、を備え、前記出力装置が、電力線に接続され電力線を介して前記オーディオ信号又は前記画像信号を受信する電力線受信手段と、受信した前記オーディオ信号又は前記画像信号を再生する出力手段と、を備えていることを特徴とする。
【０００９】
この電力線通信再生システムでは、上記本発明の電力線通信用コネクタ装置と、電力線を介してオーディオ信号及び画像信号を受信可能な出力装置と、を備えているので、任意位置のコンセント等を介して出力装置を電力線に接続することで任意の位置から再生することができると共に、複数の出力装置を接続することで複数箇所で再生を行うことが可能になる。
【００１０】
本発明のクレードル装置は、携帯型再生装置を載置可能なクレードル本体と、前記クレードル本体に設けられた上記本発明の電力線通信用コネクタ装置と、を備えていることを特徴とする。
【００１１】
このクレードル装置では、携帯型再生装置を載置するクレードル本体に上記本発明の電力線通信用コネクタ装置を設けているので、携帯型再生装置をクレードル本体に載置した状態で、電力線に接続された出力装置により連続再生を行うことができる。
【００１２】
また、本発明のクレードル装置は、前記信号出力端子が、アナログ信号である前記オーディオ信号を出力するヘッドフォンジャックであり、前記信号入力端子が、アナログ信号である前記オーディオ信号を入力するヘッドフォンプラグである。すなわち、このクレードル装置では、携帯型再生装置のヘッドフォンジャックに、アナログ信号であるオーディオ信号を入力する信号入力端子としてヘッドフォンプラグを差し込むだけで、外部スピーカ等の出力装置による連続再生を容易に行うことになる。なお、本明細書では上記ヘッドフォンジャック及びヘッドフォンプラグは、イヤーフォンジャック及びイヤーフォンプラグを含むものである。
【００１３】
また、本発明のクレードル装置は、前記携帯型再生装置が充電池を内蔵しており、前記クレードル本体内に、前記プラグ部に接続された電力線からの電力により前記充電池を充電可能な充電機構を備えていることを特徴とする。すなわち、このクレードル装置では、クレードル本体内の充電機構により、載置した携帯型再生装置を容易に充電することができる。
【００１４】
また、本発明のクレードル装置は、前記プラグ部が、車両の電力線に接続可能であることを特徴とする。すなわち、このクレードル装置では、プラグ部が車両の電力線に接続可能であるので、移動体である車両においても電力線通信を介して再生が可能になる。
【００１５】
さらに、本発明のクレードル装置は、前記プラグ部が、車両の電力線に接続されたシガーソケットに着脱可能なシガーソケットプラグであることを特徴とする。すなわち、このクレードル装置では、プラグ部がシガーソケットプラグであるので、車両内のシガーソケットに差し込むだけで、車両内の電力線通信に対応したスピーカ等の出力装置で再生することが可能になる。
【００１６】
また、本発明の電力線通信再生システムは、前記出力装置が、電力線を介して前記電力線通信用コネクタ装置に前記再生装置の制御信号を送信する制御信号送信手段と、前記制御信号の入力を行う操作部と、を備え、前記電力線通信用コネクタ装置が、前記再生装置の制御入力端子に接続可能な制御出力端子と、前記制御信号を電力線を介して受信するコネクタ側電力線受信手段と、受信した前記制御信号を前記制御出力端子に接続された前記制御入力端子から前記再生装置に送る制御信号出力部と、を備えていることを特徴とする。
すなわち、この電力線通信再生システムでは、出力装置の制御信号送信手段から再生装置の制御信号（選曲、再生、停止、早送り、早戻し等の信号）を電力線を介して電力線通信用コネクタ装置に送信し、コネクタ側電力線受信手段により受信した制御信号を制御信号出力部により制御出力端子及び制御入力端子を介して再生装置に送ることで、再生装置をスピーカ等の出力装置側でリモート制御することができる。
【００１７】
また、本発明の電力線通信再生システムは、前記オーディオ信号又は前記画像信号に、再生内容に関する情報が含まれ、前記出力手段が、受信した前記オーディオ信号又は前記画像信号の前記再生内容に関する情報を表示する表示部を備えていることを特徴とする。
すなわち、この電力線通信再生システムでは、表示部において再生内容に関する情報を表示するので、スピーカ等の出力装置側で曲名、アーティスト名等の再生内容を確認することができる。
【発明の効果】
【００１８】
本発明によれば、以下の効果を奏する。
すなわち、本発明に係る電力線通信用コネクタ装置及びこれを用いたクレードル装置並びに電力線通信再生システムによれば、信号入力端子から入力されたオーディオ信号又は画像信号を、プラグ部に接続された電力線を介して送信することにより、電力線に接続され電力線通信に対応した他の出力装置（外部スピーカ等の出力装置）で再生することができる。したがって、携帯型音楽再生装置等の再生装置に追加機能を付加する必要がないため、再生装置のコスト増大を招くことがないと共に、電力線を介して接続される外部スピーカ等で再生するので、任意の位置で容易にかつ高出力で高品質な連続再生を行うことができる。
【発明を実施するための最良の形態】
【００１９】
以下、本発明に係る電力線通信用コネクタ装置及びこれを用いたクレードル装置並びに電力線通信再生システムの第１実施形態を、図１及び図２を参照しながら説明する。
【００２０】
本実施形態の電力線通信再生システムは、図１及び図２に示すように、例えば一般家屋等に配線され複数の電子機器へ電力供給を行う電力線Ｌを介して、携帯型音楽再生装置（再生装置、携帯型再生装置）１から出力されるオーディオ信号を室内に設置された外部スピーカ装置（出力装置）２から再生させるものである。すなわち、この電力線通信再生システムは、上記携帯型音楽再生装置１を載置するクレードル装置３と、電力線Ｌに接続された外部スピーカ装置２と、を備えている。
【００２１】
上記携帯型音楽再生装置１は、内蔵したＨＤＤや不揮発性メモリ（図示略）等に楽曲等の音声データを保存、記憶したデジタルオーディオプレーヤーである。携帯型音楽再生装置１では、音声データがＭＰ３ (MPEG AudioLayer III)形式やＷＡＶＥ形式等で記憶されており、数百Ｍバイトから数十Ｇバイトの記憶領域を有している。
【００２２】
この携帯型音楽再生装置１は、楽曲等の音声データのデータ情報等を表示可能な液晶表示部４と、種々の操作を行う操作部５と、ＨＤＤや不揮発性メモリ等から読み出した音声データを再生してヘッドフォンジャック（信号出力端子）６に出力する電子回路等からなる再生部７と、内蔵した各部に電力を供給する充電池８と、を備えている。また、この携帯型音楽再生装置１は、オーディオ信号のヘッドフォンジャック６を備えているが、内蔵スピーカは有していない。さらに、携帯型音楽再生装置１は、充電池８に接続され充電池８を充電するための充電端子９を備えている。
【００２３】
上記クレードル装置３は、携帯型音楽再生装置１を載置可能なクレードル本体１０と、クレードル本体１０に設けられた電力線通信用コネクタ装置１１と、を備えている。
上記電力線通信用コネクタ装置１１は、携帯型音楽再生装置１のヘッドフォンジャック６に接続可能なヘッドフォンプラグ（信号入力端子）１２と、電力線Ｌにコンセント１３を介して接続されるコンセントプラグ（プラグ部）１４と、ヘッドフォンプラグ１２から入力されたアナログ信号であるオーディオ信号をデジタル信号に変換後、コンセントプラグ１４に接続された電力線Ｌを介して送信する電子回路等からなる電力線送信部（電力線送信手段）１５と、を備えている。
【００２４】
また、クレードル装置３は、クレードル本体１０に載置された携帯型音楽再生装置１の充電端子９に接触可能に設置された電力供給端子１６と、コンセントプラグ１４に接続された電力線Ｌからの電力により携帯型音楽再生装置１の充電池８を電力供給端子１６を介して充電可能な電子回路等からなる充電機構１７と、を備えている。
【００２５】
上記外部スピーカ装置２は、電力線Ｌにコンセント１３を介して接続され電力線Ｌを介してデジタル信号のオーディオ信号を受信しアナログ信号に変換する電子回路等からなる電力線受信部（電力線受信手段）１８と、受信したオーディオ信号を再生する出力部（出力手段）１９と、を備えている。上記出力部１９は、電力線受信部１８からのオーディオ信号を増幅するアンプ部２０と、増幅されたオーディオ信号を音声出力するスピーカ部２１と、で構成されている。
【００２６】
次に、本実施形態の電力線通信再生システムによるオーディオ信号の再生方法について説明する。
【００２７】
まず、携帯型音楽再生装置１をクレードル装置３に載置することにより、充電端子９と電力供給端子１６とが接触し、自動的に充電機構１７が電力線Ｌからの電力を電力供給端子１６及び充電端子９を介して充電池８に供給して充電を行う。また、携帯型音楽再生装置１をクレードル装置３に載置する際、ヘッドフォンジャック６にクレードル装置３のヘッドフォンプラグ１２を差し込む。なお、携帯型音楽再生装置１をクレードル装置３に載置すると、ヘッドフォンジャック６とヘッドフォンプラグ１２とが互いに位置決めされてヘッドフォンジャック６にヘッドフォンプラグ１２が差し込まれるように設定しておいてもよい。
【００２８】
一方、外部スピーカ装置２をコンセント１３を介して電力線Ｌに接続しておく。この状態で、携帯型音楽再生装置１の操作部５を操作して所望の楽曲等の音声データを読み出して再生を行う。このとき、再生部７により音声データがＤＡ変換され、アナログ信号であるオーディオ信号とされてヘッドフォンジャック６に出力される。ヘッドフォンジャック６から出力されたオーディオ信号は、ヘッドフォンプラグ１２を介してクレードル装置３に入力され、電力線送信部１５によってＡＤ変換でデジタル信号とした後にコンセントプラグ１４を介して電力線Ｌに送信される。
【００２９】
次に、外部スピーカ装置２の電力線受信部１８は、送信されたオーディオ信号を電力線Ｌを介して受信し、ＤＡ変換してアナログ信号のオーディオ信号とする。さらに、アンプ部２０が、受信したオーディオ信号を増幅し、このオーディオ信号をスピーカ部２１が音声出力することにより再生する。
【００３０】
このように本実施形態では、ヘッドフォンプラグ１２から入力されたアナログ信号であるオーディオ信号を、電力線送信部１５がデジタル信号に変換してコンセントプラグ１４に接続された電力線Ｌを介して送信することにより、電力線Ｌに接続され電力線通信に対応した外部スピーカ装置２で受信してオーディオ信号を再生することが可能になる。したがって、携帯型音楽再生装置１に通常備えられているヘッドフォンジャック６を用いて信号入力を行うと共に、携帯型音楽再生装置１に電力線通信の送信機能を付加する必要がないため、携帯型音楽再生装置１が高コストになることがなく、通常の携帯型音楽再生装置１でも外部再生を容易に行うことができる。
【００３１】
また、電力線Ｌを介してオーディオ信号を送信するので、任意位置のコンセント１３を介して電力線Ｌに接続された外部スピーカ装置２から連続再生を行うことができる。さらに、複数の外部スピーカ装置２を接続することで複数箇所で再生を行うことが可能になる。
また、携帯型音楽再生装置１を載置するクレードル本体１０に電力線通信用コネクタ装置１１を設けているので、携帯型音楽再生装置１をクレードル本体１０に載置した状態で、電力線Ｌに接続された出力装置により連続再生を行うことができる。
【００３２】
以下、本発明に係る電力線通信用コネクタ装置及びこれを用いたクレードル装置並びに電力線通信再生システムの第２実施形態を、図３及び図４を参照しながら説明する。なお、以下の実施形態の説明において、上記実施形態において説明した同一の構成要素には同一の符号を付し、その説明は省略する。
【００３３】
第２実施形態と第１実施形態との異なる点は、第１実施形態では、携帯型音楽再生装置１における再生の制御を行う場合、例えば選曲、再生、停止、早送り、早戻し等の操作を行う場合、携帯型音楽再生装置１自体で操作を行う必要があるのに対し、第２実施形態では、図３及び図４に示すように、外部スピーカ装置２２側で携帯型音楽再生装置１における再生の制御が可能な点である。
【００３４】
すなわち、第２実施形態の電力線通信再生システムは、外部スピーカ装置２２が、電力線Ｌを介してクレードル本体２０の電力線通信用コネクタ装置１１１に携帯型音楽再生装置１の制御信号を送信する制御信号送信部（制御信号送信手段）３１と、制御信号の入力を行う操作部３８と、を備え、電力線通信用コネクタ装置１１１が、携帯型音楽再生装置１の制御入力端子３２に接続可能な制御出力端子３３と、制御信号を電力線Ｌを介して受信するコネクタ側電力線受信部（コネクタ側電力線受信手段）３４と、受信した制御信号を制御出力端子３３に接続された制御入力端子３２から携帯型音楽再生装置１に送る制御信号出力部３５と、を備えている。
【００３５】
上記携帯型音楽再生装置１の制御入力端子３２は、例えばヘッドフォンのコントローラ等と接続可能なリモートコントロール用端子であり、本実施形態では、ヘッドフォンジャック６が制御入力端子３２も兼ねていると共に、ヘッドフォンプラグ１２が制御出力端子３３も兼ねている。
また、第２実施形態では、図３及び図４に示すように、出力部２９が、受信したオーディオ信号の再生内容に関する情報を表示する液晶ディスプレイ部（表示部）３６を備えている点でも第１実施形態と異なっている。
上記操作部３８は、外部スピーカ装置２２の正面に設置され、携帯型音楽再生装置１の各制御信号に対応した複数の操作ボタン３７を備えている。また、操作部３８は、制御信号送信部３１に接続されている。
【００３６】
この第２実施形態の電力線通信再生システムでは、外部スピーカ装置２２の制御信号送信部３１から携帯型音楽再生装置１の制御信号（選曲、再生、停止、早送り、早戻し等の信号）を電力線通信信号として電力線Ｌを介して電力線通信用コネクタ装置１１１に送信する。そして、コネクタ側電力線受信部３４は、電力線通信信号の制御信号を受信し、さらに制御信号出力部３５により携帯型音楽再生装置１用の制御信号に変換して制御出力端子３３及び制御入力端子３２を介して携帯型音楽再生装置１の再生部７に送る。このようにして、携帯型音楽再生装置１を外部スピーカ装置２２側でリモート制御することができる。
また、オーディオ信号に再生内容に関する情報が含まれている場合、液晶ディスプレイ部３６において再生内容に関する情報を表示するので、外部スピーカ装置２２側で曲名、アーティスト名等の再生内容を確認することができる。
【００３７】
なお、本発明の技術範囲は上記各実施形態に限定されるものではなく、本発明の趣旨を逸脱しない範囲において種々の変更を加えることが可能である。
【００３８】
上記実施形態では、携帯型音楽再生装置１の再生を行ったが、他の再生装置として、ヘッドフォンジャック６等のオーディオ信号の信号出力端子を有する携帯電話やラジオ等の再生を行っても構わない。また、携帯型音楽再生装置１からのオーディオ信号による音声再生を行ったが、携帯型画像表示装置からの画像信号（映像信号を含むものとする）による画像（映像）再生を行っても構わない。この場合、電力線Ｌに接続される出力装置としては、液晶ディスプレイ等の画像表示装置が採用される。
【００３９】
また、上記実施形態では、一般家屋等に配線された電力線Ｌを介してオーディオ信号を送信することで室内の外部スピーカ装置２で再生を行っているが、自動車等の車両に配線された電力線を介して車両内に設置されたスピーカ装置（出力装置）から再生させても構わない。この場合、コンセントプラグ１４の代わりにプラグ部として、車両の電力線に接続されたシガーソケットに着脱可能なシガーソケットプラグを採用する。すなわち、この場合のクレードル装置では、プラグ部がシガーソケットプラグであるので、車両内のシガーソケットに差し込むだけで、車両内の電力線通信に対応した車載スピーカ等の出力装置で再生することが可能になる。なお、前述したようにプラグ部をシガーソケットプラグとすることが好ましいが、車両の電力線に接続可能であれば、他の形態のプラグ部を採用しても構わない。
また、第２実施形態において、外部スピーカ装置２２側でドルビー（登録商標）制御やイコライザ制御等を行うようにしても構わない。
【図面の簡単な説明】
【００４０】
【図１】本発明に係る第１実施形態の電力線通信用コネクタ装置及びこれを用いたクレードル装置並びに電力線通信再生システムにおいて、電力線通信再生システムの全体構成図である。
【図２】本発明に係る第１実施形態について、電力線通信再生システムのブロック構成図である。
【図３】本発明に係る第２実施形態の電力線通信用コネクタ装置及びこれを用いたクレードル装置並びに電力線通信再生システムにおいて、電力線通信再生システムのブロック構成図である。
【図４】本発明に係る第２実施形態について、外部スピーカ装置を示す正面図である。
【符号の説明】
【００４１】
１…携帯型音楽再生装置（再生装置、携帯型再生装置）、２、２２…外部スピーカ装置（出力装置）、３…クレードル装置、６…ヘッドフォンジャック（信号出力端子）、８…充電池、１０、２０…クレードル本体、１１、１１１…電力線通信用コネクタ装置、１２…ヘッドフォンプラグ（信号入力端子）、１４…コンセントプラグ（プラグ部）、１５…電力線送信部（電力線送信手段）、１７…充電機構、１８…電力線受信部（電力線受信手段）、１９、２９…出力部（出力手段）、Ｌ…電力線、３１…制御信号送信部（制御信号送信手段）、３２…制御入力端子、３３…制御出力端子、３４…コネクタ側電力線受信部（コネクタ側電力線受信手段）、３５…制御信号出力部、３６…液晶ディスプレイ部（表示部）３８…操作部
【図１】
2007243910.tif 000003
【図２】
2007243910.tif 000004
【図３】
2007243910.tif 000005
【図４】
2007243910.tif 000006